(57)【要約】【課題】  購入者が煩雑な手間をかけずに購入後直ぐに安心して使用することができる布団を含んだ組布団を出荷するための組布団の製造方法を提供する。【解決手段】  組布団の製造方法において、出荷前の段階でエンドレスファイバーで構成された中綿を使用した布団１に加熱乾燥処理及び塵埃の除去処理を施した後、該布団を所定の袋６に収納して該袋を密封する。【選択図】      図１
2005118408.tif 000002
【特許請求の範囲】
【請求項１】
組布団を出荷するための組布団の製造方法において、エンドレスファイバーで構成された中綿を使用した布団に乾燥処理を施した後、該布団を所定の袋に収納して該袋を密封することを特徴とする組布団の製造方法。
【請求項２】
組布団を出荷するための組布団の製造方法において、エンドレスファイバーで構成された中綿を使用した布団に塵埃の除去処理を施した後、該布団を所定の袋に収納して該袋を密封することを特徴とする組布団の製造方法。
【請求項３】
組布団を出荷するための組布団の製造方法において、エンドレスファイバーで構成された中綿を使用した布団に乾燥処理及び塵埃の除去処理を施した後、該布団を所定の袋に収納して該袋を密封することを特徴とする組布団の製造方法。
【請求項４】
請求項３に記載の組布団の製造方法において、前記乾燥処理として加熱乾燥処理を実施し、その後に前記除去処理を実施することを特徴とする組布団の製造方法。
【請求項５】
請求項１、３又は４のいずれか１項に記載の組布団の製造方法において、加熱乾燥機能を有する乾燥機を利用して前記乾燥処理を行うことを特徴とする組布団の製造方法。
【請求項６】
請求項４又は５に記載の組布団の製造方法において、前記乾燥処理時の布団の加熱温度を５０℃以上、加熱時間を１０秒以上に設定することを特徴とする組布団の製造方法。
【請求項７】
請求項２〜４のいずれか１項に記載の組布団の製造方法において、集塵機を利用して前記塵埃の除去処理を行うことを特徴とする組布団の製造方法。
【請求項８】
請求項１〜７のいずれか１項に記載の組布団の製造方法において、前記布団を所定の袋に収納した後、前記布団が収納されている該袋の内部を真空状態にしてその袋を密封することを特徴とする組布団の製造方法。
【請求項９】
請求項１〜８のいずれか１項に記載の製造方法によって製造されたことを特徴とする組布団の出荷梱包物。
【発明の詳細な説明】
【技術分野】
【０００１】
本発明は、組布団を出荷するための組布団を製造する技術に関する。
【背景技術】
【０００２】
使用する布団が衛生的であることは健康維持管理上重要である。従って、衛生面に優れた布団を製造する布団の製造方法は既に提案されている（例えば特許文献１参照）。
【特許文献１】特開平１１−１８７９５４号公報
【発明の開示】
【発明が解決しようとする課題】
【０００３】
しかし、一般に店頭において販売される布団は、単に折り畳まれファスナーつきの袋に詰め込まれて販売されており、出荷前に乾燥処理や塵埃の除去処理がされることはない。そのため、布団購入後、購入者側で該布団を使用前に天日干しや乾燥機にかけたりひいては掃除機をかける等の手間をかけ衛生面を確保している。
【０００４】
そこで、本発明は、購入者が前記手間をかけずに購入後直ぐに安心して使用することができる布団を含んだ組布団を出荷するための組布団の製造方法、及びその組布団が含まれた出荷梱包物を提供することを目的とする。
【課題を解決するための手段】
【０００５】
本発明は、以下の方法及び出荷梱包物により上述した課題を解決する。なお、本発明の理解を容易にするために添付図面の参照符号を括弧書きにて付記するが、それにより本発明が図示の形態に限定されるものではない。
【０００６】
本発明による第一の組布団の製造方法は、組布団（５）を出荷するための組布団の製造方法において、エンドレスファイバーで構成された中綿を使用した布団（１）に乾燥処理を施した後、該布団を所定の袋（６）に収納して該袋を密封するにより上述した課題を解決する。ここに、組布団とは、敷布団及び掛布団で１セットとした出荷形態、これに枕又は肌着等の付属品を加えて1セットとした出荷形態、更に敷布団のみ又は掛布団のみを出荷する形態や、これらに枕又は肌着等の付属品を加えて1セットとした出荷形態をも含むものとする。
【０００７】
この組布団の製造方法によって、出荷前に乾燥処理されその状態が保たれた布団を購入者は手に入れることができるので、使用前に購入者側で天日干し等の布団を乾燥させるための手間を省くことが可能になる。
【０００８】
また、特に本発明においては、組布団に含まれる布団、すなわち敷布団または掛布団に使用される中綿をエンドレスファイバーで構成する。一般の繊維は所定の長さの繊維が無数におり重なって構成されているが、エンドレスファイバーは途切れることのない繊維によって構成されている。このため、エンドレスファイバーで構成された中綿が使用された布団は中綿からホコリが出ることがなく、一般の中綿が使用された布団よりも更に衛生面を向上させることができる。なお、エンドレスファイバーで構成された中綿が使用された布団は、一般の布団よりも通気性、保温性にも優れ、かつ家庭用洗濯機でも丸洗いが可能であるため、出荷後に袋から出された後も高い衛生性を保つことができる。
【０００９】
本発明による第二の組布団の製造方法は、組布団を出荷するための組布団の製造方法において、エンドレスファイバーで構成された中綿が使用された布団に塵埃の除去処理を施した後、該布団を所定の袋に収納して該袋を密封することによって上述の課題を解決する。
【００１０】
この組布団の製造方法によって、出荷前に塵埃が除去されその状態が保たれた布団を購入者は手に入れることができるので、衛生面を確保するために使用前に購入者側で掃除機をかける等の塵埃を除去するための手間を省くことが可能になる。布団にエンドレスファイバーで構成された中綿を使用することの意義は、第一の組布団の製造方法において上述した内容と同様である。
【００１１】
本発明による第三の組布団の製造方法は、組布団を出荷するための組布団の製造方法において、エンドレスファイバーで構成された中綿が使用された布団に乾燥処理及び塵埃の除去処理を施した後、該布団を所定の袋に収納して該袋を密封することにより上述した課題を解決する。
【００１２】
この組布団の製造方法によって、出荷前に乾燥及び塵埃の除去処理がされその状態が保たれた布団を購入者は手に入れることができるので、衛生面を確保するために該布団を使用前に購入者側で天日干しや掃除機をかけるといった煩雑な手間を省くことが可能になる。布団にエンドレスファイバーで構成された中綿を使用することの意義は、第一の組布団の製造方法において上述した内容と同様である。
【００１３】
本発明の製造方法において、前記乾燥処理として加熱乾燥処理を実施し、その後に前記除去処理を実施してもよい。この場合は、先に乾燥処理によって布団に付着した塵埃を除去しやすい乾燥状態にしておき、その後該塵埃を除去処理することによってより効率的に衛生面を確保することが可能である。
【００１４】
本発明の製造方法において、加熱乾燥機能を有する乾燥機（２）を利用して前記乾燥処理を行ってもよい。加熱による乾燥は、布団を乾燥させるとともにダニを死滅させることが可能となる。ここで、ダニとは一般的に広く知られている種類のダニをいうものとする。特に加熱乾燥させてダニを死滅させた後に塵埃除去処理を行う場合にはダニの死骸をも除去することができ、布団の衛生を確保する上で効果的である。広く知られているダニを死滅させるには、布団の加熱温度を５０℃以上、加熱時間を１０秒以上に設定すればよい。好ましくは、布団の加熱温度を８０℃以上、加熱時間を２分以上に設定する。さらに、完全な滅菌を行うには布団の加熱温度を１１０℃以上、加熱時間を３０分以上に設定する。
【００１５】
本発明の製造方法においては、集塵機（３）を利用して前記塵埃の除去処理を行ってもよい。塵埃の除去処理を集塵機で行うことによって人が手動で行うよりも、より多くの布団に対してより早く除去作業を行うことができる。
【００１６】
本発明の製造方法において、前記布団を所定の袋に収納した後、前記布団が収納されている該袋の内部を真空状態にしてその袋を密封してもよい。真空状態にすることによって袋に収納された組布団全体の体積が真空状態にする前の体積よりも小さくなるので、運搬やストックの際に場所の節約になる。
【００１７】
本発明は、上述した各製造方法によって製造された組布団の出荷梱包物として具現化されてもよい。
【発明の効果】
【００１８】
以上のように本発明によれば、エンドレスファイバーで構成された中綿を使用した布団を出荷用の袋に収容する前に乾燥処理や塵埃の除去処理を行うので、購入者が煩雑な手間をかけずに購入後直ぐに安心して使用することができる組布団を出荷することができる。
【発明を実施するための最良の形態】
【００１９】
図１（ａ）〜（ｆ）は本発明によって出荷用組布団が製造される作業工程を示している。この例では、まず、図１（ａ）に示すように出荷前の複数枚の布団１…１を広げた状態で台車２ａに乗せて加熱乾燥機能を有する乾燥機２にかけることにより、これら布団１…１を加熱乾燥処理する。このときの加熱温度及び時間は適宜に設定してよいが、好ましくは８０℃で約２分間行う。広く知られている多くのダニは５０℃で１０秒間加熱することによって死滅するので、前記の通りに加熱温度及び時間を設定すればダニの死滅効果も期待できる。なお、布団１…１の中綿はエンドレスファイバーで構成されている。
【００２０】
次に、図１（ｂ）に示すように乾燥させた布団１を広げた状態で１枚ずつ集塵機３に送り込み、布団１に付着している塵埃を除去する。その後、図１（ｃ）に示すように、塵埃が除去された布団１を梱包に適した大きさに折り畳むとともに、その布団１を、同梱させるべき他の物品４と組み合わせる。他の物品４としては、布団１と一体に使用されるべき他の掛布団若しくは敷布団、枕、シーツ、肌着、又はパジャマ等がある。なお、組布団５として同梱されるべき各種の物品４も布団１と同様に加熱乾燥処理及び塵埃の除去処理が施されていることが望ましい。
【００２１】
続いて、図１（ｄ）に示すように、組布団５を所定の袋６に収納する。該袋６は、いわゆる真空パックが可能な程度の密封性を有しているものを使用する。その後、図１（ｅ）に示すように、吸引機７によって袋６内から空気を吸引して袋６内を真空状態とし、その状態で袋６を密封する。これにより、図１（ｆ）に示すように減容された組布団の出荷梱包物８が完成する。
【００２２】
図２は上記の作業を行うための作業施設のレイアウトの一例を示している。この例では加熱乾燥処理から組布団の出荷梱包までの一連の作業（以下単に「一連の作業」という場合がある）を作業場１８の壁伝いに流れ作業として行えるような配置をとっている。なお、各施設での作業内容は、乾燥機２においては布団１の加熱乾燥処理、集塵機３においては乾燥処理後の布団１の塵埃の除去処理、セット組用施設１５では前記各処理を終了した布団１に他の物品４を加えて組布団５を構成し所定の袋６に収納する作業、密封パック用施設１６では組布団５が収納された所定の袋６の内部を真空化し密封する作業、ケース詰用施設１７では出荷用の梱包作業となる。
【００２３】
以下、本例における各作業施設の具体的な設置方法を説明する。一連の処理がされる前の布団１…１をストックしておくスペースを入荷品ストックヤード１０として作業場の一端に設け、その反対側の一端には一連の作業が終了し梱包された出荷用組布団をストックしていくスペースを出荷品ストックヤード１１として設ける。各作業施設は入荷品ストックヤード１０を起点として作業順に、すなわち乾燥機２、集塵機３、セット組用施設１５、密封パック用施設１６、ケース詰め用施設１７の順に出荷品ストックヤード１１が終点になるよう配置する。入荷品ストックヤード１０から乾燥機２への布団１…１の移動、乾燥機２による加熱乾燥処理、及び乾燥機２から集塵機３への布団１…１の移動は台車２ａに布団１…１を乗せたままで行う。ここで、集塵機３は投入ベルトコンベア１３で布団１
…１を１枚ずつ投入するようになっているので投入コンベヤ１３を乾燥機２側に、取り出しコンベヤ１４をセット組用施設１５側になるように設置することが作業の効率上望ましい。
【００２４】
図３は加熱乾燥機能を有する乾燥機２の一例を示している。効率よく加熱するために左右両側から乾燥室１２内に向けて各２ケ所のヒーター噴出し口２０が設けられている。加熱乾燥処理を行う際は、図３（ｂ）に示すように扉２３を閉めた状態で行う。乾燥室１２内の温度は乾燥機２の側面に設けられた温度センサー２２によって乾燥室１２の外側から確認可能である。温度センサー２２の出力に基づいて温度を自動制御してもよい。図３（ａ）に示すように、乾燥室１２に布団１を乗せた台車２ａをそのまま出し入れできるように、乾燥室１２の床には車輪用の溝２１が二箇所設けられている。
【００２５】
図４は加熱乾燥機能を有する乾燥機２における台車２ａを入れる乾燥室の扉２３の一例の俯瞰図を示している。台車２ａをスムーズに出し入れ出来るように観音開きで左右に大きく開くよう設計され、また扉閉時の密封性を確保するため、両扉２３ともにマグネット密着方式を採用している。
【００２６】
図５は乾燥機２に出し入れ等するための台車２ａの一例を示している。図５（ａ）は台車２ａを握手３３側から見た正投影図、同（ｂ）は台車２ａをその側面から見た正投影図、同（ｃ）は受皿３０ａの斜視図である。台車２ａはキャスター３４…３４が下部に付いている全体的に直方体の形状を有する可動体３０と、その可動体３０に搭載可能な複数の受皿３０ａとを備えている。可動体３０は、通気性を確保するため、レール３１…３１と縦枠３１ａ…３１ａ及び横枠３１ｂ…３１ｂのみから構成されており、いわゆる壁面に相当する部分は開放されている。受皿３０ａは一般的な布団１の形状に合わせて長方形であり、布団１の落下防止のため四方に縁３４及び縁３５を有しており、縁３４の長さは縁３５よりも長い。受皿３０ａの大きさは少なくとも１枚の布団１を広げた大きさを有している。また受皿３０ａの底部分３２は通気性を確保するために網状となっている。レール３１…３１は２本で１対（３１ｃと３１ｄ）となり、各受皿３０ａ…３０ａを水平に支持すべく各々水平に設置されている（図５（ｂ）参照）。よって、握手３３側から見た時の可動体３０の内部の幅Ｗは受皿３０ａの縁３５の長さ以上であり、かつレール３１…３１の先端間の幅は縁３５の長さ未満であることが必要である。レール３１…３１は垂直方向の枠部分３１ａ…３１ａを利用して複数対、具体的には６対垂直方向に設けられている。すなわち、本例では最大６段の受皿３０ａ…３０ａを可動体３０に設置することができる。
【００２７】
握手３３は可動体３０の移動を容易にするために設けられている。加熱処理中は取り外した方が望ましいため、握手３３は可動体３０に対して着脱可能である。すなわち、握手３３は、支持アングル３３ａ…３３ａによってその両端が支持されているだけなので、可動体３０から簡単に取り外すことができる。また、もう１対の支持アングル３３ｂが反対側にも設けられているので握手３３を取り付ける側を適宜選ぶことができる。
【００２８】
図６は塵埃の除去処理に使用する集塵機３の一例を示している。乾燥させた布団１を広げた状態でベルトコンベア４０に１枚ずつ乗せて移動させ、その移動中に布団１に付着している塵埃をブラシ４１…４１によって除去する。除去された塵埃はその拡散を防止するため、吸気ダクト４２…４２を介してブロアユニット４３に吸引されそのブロアユニット４３から排気ダクト４４を通じて屋外へ塵埃を排出される構造になっている。
【００２９】
本発明は以上の実施形態に限定されず、種々の形態にて実施できる。例えば、乾燥処理と塵埃の除去処理との順序を入れ替えてもよい。場合によっては、乾燥処理又は除去処理のいずれか一方のみを実施して出荷梱包物８を製造してもよい。
【図面の簡単な説明】
【００３０】
【図１】本発明によって出荷用組布団が製造される作業工程を示す図。
【図２】本発明を実施するための作業施設のレイアウトの一例を示す図。
【図３】（ａ）は加熱乾燥処理に使用する乾燥機の一例の構造を示す図であり、（ｂ）は（ａ）に示す乾燥機の扉が閉まっている状態を示す図。
【図４】加熱乾燥機能を有する乾燥機における乾燥室の扉の一例を示す図。
【図５】（ａ）は布団を載置する台車の一例の正面図であり、（ｂ）は（ａ）に示す台車の側面図であり、（ｃ）は（ａ）に示す台車で使用する受皿を示す図。
【図６】塵埃の除去処理に使用する集塵機の一例を示す図。
【符号の説明】
【００３１】
１  エンドレスファイバーで構成された中綿を使用した布団
２  乾燥機
２ａ  台車
３  集塵機
５  組布団
６  所定の袋
【図１】
2005118408.tif 000003
【図２】
2005118408.tif 000004
【図３】
2005118408.tif 000005
【図４】
2005118408.tif 000006
【図５】
2005118408.tif 000007
【図６】
2005118408.tif 000008